(57)【特許請求の範囲】
【請求項１】
加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視方法において、
一方の制御端末からの回線試験指示による回線閉塞状態を他方の制御端末側にインターフェイスを介し通知する段階を有することを特徴とする加入者回線試験時の状態監視方法。
【請求項２】
加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視方法であって、
電話交換機の制御端末から加入者回線の回線試験を行う回線試験指示と回線閉塞指示を電話交換機に送出し、加入者回線を閉塞するステップと、
前記電話交換機が回線試験指示かを判断するステップと、
前記電話交換機の制御端末から回線試験指示が出されたと判断すると、回線試験指示データを電話交換機の上位装置からインタフェースを介してＡＤＳＬ装置の上位装置に回線試験指示データを送信するステップと、
前記ＡＤＳＬ装置の上位装置がインタフェースからの回線試験指示データを受信しＡＤＳＬ装置が接続しているデータ網の制御端末に対して送信するステップと、
前記ＡＤＳＬ装置側の制御端末が回線の状態が回線の閉塞状態であることを認識し、障害とは判断しないステップと、
を有す加入者回線試験時の状態監視方法。
【請求項３】
加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視方法であって、
ＡＤＳＬ装置が接続しているデータ網の制御端末から加入者回線の回線試験を行う回線試験指示と回線閉塞指示をＡＤＳＬ装置に送出し、加入者回線を閉塞するステップと、
前記ＡＤＳＬ装置が回線試験指示かを判断するステップと、
前記ＡＤＳＬ装置の制御端末から回線試験指示が出されたと判断すると、回線試験指示データをＡＤＳＬ装置の上位装置からインタフェースを介して電話交換機の上位装置に回線試験指示データを送信するステップと、
前記電話交換機の上位装置がインタフェースからの回線試験指示データを受信し電話交換機の制御端末に対して送信するステップと、
前記電話交換機の制御端末が回線の状態が回線の閉塞状態であることを認識し、障害とは判断しないステップと、
を有する加入者回線試験時の状態監視方法。
【請求項４】
加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視装置において、
一方の制御端末からの回線試験指示による回線閉塞状態を他方の制御端末側に通知するインターフェイスを有することを特徴とする加入者回線試験時の状態監視装置。
【請求項５】
加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視装置であって、
電話交換機の制御端末から加入者回線の回線試験を行う回線試験指示と回線閉塞指示を電話交換機に送出し、加入者回線を閉塞する手段と、
前記電話交換機が回線試験指示かを判断する手段と、
前記電話交換機の制御端末から回線試験指示が出されたと判断すると、回線試験指示データを電話交換機の上位装置からＡＤＳＬ装置の上位装置に回線試験指示データを送信するインタフェースと、
前記ＡＤＳＬ装置の上位装置がインタフェースからの回線試験指示データを受信しＡＤＳＬ装置が接続しているデータ網の制御端末に対して送信する手段と、前記ＡＤＳＬ装置側の制御端末が回線の状態が回線の閉塞状態であることを認識し、障害とは判断しない手段と、
を有する加入者回線試験時の状態監視装置。
【請求項６】
加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視装置であって、
ＡＤＳＬ装置が接続しているデータ網の制御端末から加入者回線の回線試験を行う回線試験指示と回線閉塞指示をＡＤＳＬ装置に送出し、加入者回線を閉塞する手段と、
前記ＡＤＳＬ装置が回線試験指示かを判断する手段と、
前記ＡＤＳＬ装置の制御端末から回線試験指示が出されたと判断すると、回線試験指示データをＡＤＳＬ装置の上位装置から電話交換機の上位装置に回線試験指示データを送信するインタフェースと、
前記電話交換機の上位装置がインタフェースからの回線試験指示データを受信し電話交換機の制御端末に対して送信する手段と、
前記電話交換機の制御端末が回線の状態が回線の閉塞状態であることを認識し、障害とは判断しない手段と、
を有する加入者回線試験時の状態監視装置。
【発明の詳細な説明】
【０００１】
【発明の属する技術分野】
回線試験時の状態監視方法と装置に関し、特に電話交換機とＡＤＳＬ装置間における回線試験時の状態監視方法と装置に関する。
【０００２】
【従来の技術】
電話交換機における既存の電話サービスであるＰＯＴＳ（Ｐｌａｉｎ  Ｏｒｄｉｎａｒｙ  Ｔｅｌｅｐｈｏｎｅ  Ｓｅｒｖｉｃｅ）サービスと非対称ディジタル加入者線通信であるＡＤＳＬ（Ａｓｙｍｍｅｔｒｉｃ  Ｄｉｇｉｔａｌ  Ｓｕｂｓｃｒｉｂｅｒ  Ｌｉｎｅ）サービスを導入している１加入者に対してはＰＯＴＳ加入者回路とＡＤＳＬ加入者回路の２つの制御が必要である。電話交換機におけるＰＯＴＳの制御とＡＤＳＬ装置におけるＡＤＳＬの制御は独立しているために互いの状態を知ることは不可能であり、一方の制御端末からの回線試験指示による回線閉塞状態がもう一方の制御端末には障害に見えてしまうということにもなる。
【０００３】
【発明が解決しようとする課題】
本発明の課題は電話交換機におけるＰＯＴＳ側の制御端末とＡＤＳＬ装置におけるＡＤＳＬ側の制御端末が別に存在する場合に、一方の制御端末からの回線試験指示による回線閉塞状態をもう一方の制御端末側に通知する方法と装置を開発することである。
【０００４】
【課題を解決するための手段】
本発明の加入者回線試験時の状態監視方法は、加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視方法において、一方の制御端末からの回線試験指示による回線閉塞状態を他方の制御端末側にインターフェイスを介し通知する段階を有することを特徴とする。
【０００５】
また、本発明の加入者回線試験時の状態監視方法は加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視方法であって、電話交換機の制御端末から加入者回線の回線試験を行う回線試験指示と回線閉塞指示を電話交換機に送出し、加入者回線を閉塞するステップと、電話交換機が回線試験指示かを判断するステップと、電話交換機の制御端末から回線試験指示が出されたと判断すると、回線試験指示データを電話交換機の上位装置からインタフェースを介してＡＤＳＬ装置の上位装置に回線試験指示データを送信するステップと、ＡＤＳＬ装置の上位装置がインタフェースからの回線試験指示データを受信しＡＤＳＬ装置が接続しているデータ網の制御端末に対して送信するステップと、ＡＤＳＬ装置側の制御端末が回線の状態が回線の閉塞状態であることを認識し、障害とは判断しないステップと、を有する。
【０００６】
さらに、本発明の加入者回線試験時の状態監視方法は、加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視方法であって、ＡＤＳＬ装置が接続しているデータ網の制御端末から加入者回線の回線試験を行う回線試験指示と回線閉塞指示をＡＤＳＬ装置に送出し、加入者回線を閉塞するステップと、ＡＤＳＬ装置が回線試験指示かを判断するステップと、ＡＤＳＬ装置の制御端末から回線試験指示が出されたと判断すると、回線試験指示データをＡＤＳＬ装置の上位装置からインタフェースを介して電話交換機の上位装置に回線試験指示データを送信するステップと、  電話交換機の上位装置がインタフェースからの回線試験指示データを受信し電話交換機の制御端末に対して送信するステップと、電話交換機の制御端末が回線の状態が回線の閉塞状態であることを認識し、障害とは判断しないステップと、を有する。
【０００７】
本発明の加入者回線試験時の状態監視装置は、加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視装置において、一方の制御端末からの回線試験指示による回線閉塞状態を他方の制御端末側に通知するインターフェイスを有することを特徴とする。
【０００８】
また、本発明の加入者回線試験時の状態監視装置は、加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視装置であって、電話交換機の制御端末から加入者回線の回線試験を行う回線試験指示と回線閉塞指示を電話交換機に送出し、加入者回線を閉塞する手段と、電話交換機が回線試験指示かを判断する手段と、電話交換機の制御端末から回線試験指示が出されたと判断すると、回線試験指示データを電話交換機の上位装置からＡＤＳＬ装置の上位装置に回線試験指示データを送信するインタフェースと、ＡＤＳＬ装置の上位装置がインタフェースからの回線試験指示データを受信しＡＤＳＬ装置が接続しているデータ網の制御端末に対して送信する手段と、ＡＤＳＬ装置側の制御端末が回線の状態が回線の閉塞状態であることを認識し、障害とは判断しない手段と、を有する。
【０００９】
さらに、本発明の加入者回線試験時の状態監視装置は、加入者の電話と端末が加入者回線を経由して電話交換機とＡＤＳＬ装置に別個に接続されている加入者サービスにおける電話交換機の制御端末とＡＤＳＬ装置が接続しているデータ網の制御端末間における加入者回線試験時の状態監視装置であって、ＡＤＳＬ装置が接続しているデータ網の制御端末から加入者回線の回線試験を行う回線試験指示と回線閉塞指示をＡＤＳＬ装置に送出し、加入者回線を閉塞する手段と、ＡＤＳＬ装置が回線試験指示かを判断する手段と、ＡＤＳＬ装置の制御端末から回線試験指示が出されたと判断すると、回線試験指示データをＡＤＳＬ装置の上位装置から電話交換機の上位装置に回線試験指示データを送信するインタフェースと、  電話交換機の上位装置がインタフェースからの回線試験指示データを受信し電話交換機の制御端末に対して送信する手段と、電話交換機の制御端末が回線の状態が回線の閉塞状態であることを認識し、障害とは判断しない手段と、を有する。
【００１０】
図１において、ＰＯＴＳ側制御端末４からの回線試験指示データをインタフェース１０経由でＡＤＳＬ側制御端末５に通知することで、ＰＯＴＳ側制御端末４の指示による回線試験時の回線閉塞状態をＡＤＳＬ側制御端末５がその閉塞された回線を障害と判断することを防ぐことができる。
【００１１】
逆の場合も同様で、ＡＤＳＬ側制御端末５からの回線試験指示データをインタフェース１０経由でＰＯＴＳ側制御端末４に通知することでＰＯＴＳ側制御端末４が回線閉塞状態を障害と判断することを防ぐことができる。
【００１２】
【発明の実施の形態】
次に、本発明の実施の形態について、図面を参照して説明する。図１は本発明の一実施例における機器構成を示す図、図２は一実施例の動作を説明するフローチャート（１）、図３は一実施例の動作を説明するフローチャート（２）である。
【００１３】
図１によれば、本発明の一実施例における機器構成は、加入者３と、加入者３に含まれる電話３１と端末３２と、電話３１と端末３２とを接続し回線との整合を実施し、周波数帯域を分けて電話の音声信号と端末のデータ信号を変調して多重化する多重整合回路８と、回線を経て、電話の音声信号と端末のデータ信号を分離する分離回路９と、電話交換機１の加入者回路であり、電話の音声信号をディジタル信号に変換し、ＰＳＴＮ網（Ｐｕｂｌｉｃ  Ｓｗｉｔｃｈｅｄ  Ｔｅｌｅｐｈｏｎｅ  Ｎｅｔｗｏｒｋ）に送出するＰＯＴＳ１１と、電話のディジタル信号化された音声データの送受信を制御する上位装置１２と、ＡＤＳＬ装置２の加入者回路であるＡＤＳＬ２１と、端末３２のデータ信号の送受信を制御する上位装置２２と、電話交換機１に接続されていて電話交換機の保守、管理を行う制御端末４と、ＡＤＳＬ装置のデータ網７に接続されていてデータ網の配下の各種装置を保守、管理する制御端末５と、電話交換機１が接続されているＰＳＴＮ網６と、本発明のポイントである電話交換機１の上位装置１２とＡＤＳＬ装置２の上位装置２２の間のインタフェース１０とで構成されている。
【００１４】
加入者３の電話３１からの音声信号と端末３２からのデータ信号は同一のワイヤ上を異なる周波数帯域を使用することで伝播し、分離回路９により音声信号はＰＯＴＳ１１へ、端末３２からのデータ信号はＡＤＳＬ２１へと分かれて入力される。ＰＯＴＳ１１は、加入者３における電話３１の音声信号のディジタル信号への変換処理を行う部分であり、上位装置１２を経由して公衆交換電話網であるＰＳＴＮ網６へ送信される。ＡＤＳＬ２１は、加入者３における端末３２のデータ信号の処理を行う部分であり、上位装置２２を経由してデータ網７へ送信される。上位装置１２と上位装置２２との間には、それぞれの制御下にある回線の状態を通知し合うためのインタフェース１０を持っている。
【００１５】
図４に示すように、インタフェース１０を持たない従来のＡＤＳＬ装置２側の制御端末５は、電話交換機１側の制御端末４からの回線試験指示の情報は何も知らされないので、加入者３の回線の閉塞状態を見て障害という判断をしてしまう。実際には回線試験を行うための回線閉塞状態であり、障害ではない。
【００１６】
次に、実施例の動作を図２を用いて説明する。
【００１７】
図２によれば、電話交換機１側の制御端末４から回線試験を行う場合に、電話交換機１側の制御端末４から交換機１に対し回線試験指示と回線閉塞指示が出され、加入者３の回線は閉塞される（Ｓ１）。交換機１は制御端末４からの回線試験指示かを判断する（Ｓ２）。
【００１８】
制御端末４から回線試験指示が出されたと判断されると、回線試験指示データを電話交換機１側の上位装置１２からインタフェース１０にドロップして、ＡＤＳＬ装置２側の上位装置２２に回線試験指示データを送信する（Ｓ３）。上位装置２２はインタフェース１０からの回線試験指示データを制御端末５に対して送信する（Ｓ４）。これにより実際には制御端末４と制御端末５の間には直接のインタフェースは持たないが、間接的に制御端末４の配下の回線の状態を制御端末５に通知することができる。制御端末５はこのデータを受信することにより、回線の状態が制御端末４からの指示による閉塞状態であるということを認識し、障害とは判断しない（Ｓ５）。制御端末４から回線試験指示が出されていないと判断されると、制御端末５は回線が閉塞状態であるということを認識し、障害と判断する（Ｓ６）。
【００１９】
逆に、図３に示すように、ＡＤＳＬ装置２側の制御端末５からの回線試験を行う場合、制御端末５はデータ網７を介して回線試験指示情報のデータをＡＤＳＬ２装置側の上位装置２２に送信する（Ｓ７）。  ＡＤＳＬ装置２は制御端末５からの回線試験指示かを判断する（Ｓ８）。  制御端末５からの回線試験と判断すると、ＡＤＳＬ装置２側の上位装置２２は、回線試験指示情報のデータをインタフェース１０にドロップして、電話交換機１側の上位装置１２へ回線試験指示情報のデータを送信する（Ｓ９）。上位装置１２は制御端末４へ回線試験指示情報を通知する（Ｓ１０）。制御端末４は回線試験指示情報のデータを受信することで回線の状態が制御端末５からの回線試験指示による閉塞状態であるということを認識する（Ｓ１１）。制御端末５から回線試験指示が出されていないと判断されと、制御端末４は回線が閉塞状態であるということを認識し、障害と判断する（Ｓ１２）。
【００２０】
【発明の効果】
本発明によれば、電話交換機またはＡＤＳＬ装置の一方の制御端末からの回線試験指示による回線閉塞状態を、他方の制御端末がその回線の閉塞状態を障害でないことを知り、障害であるという判断を防ぐ効果がある。
【図面の簡単な説明】
【図１】本発明の一実施例における機器構成を示す図である。
【図２】本発明の一実施例における動作を示すフローチャート（１）である。
【図３】本発明の一実施例における動作を示すフローチャート（２）である。
【図４】従来の一実施例における機器構成を示す図である。
【符号の説明】
１    電話交換機
２    ＡＤＳＬ装置
３    加入者
４、５    制御端末
６    ＰＳＴＮ網
７    データ網
８    多重整合回路
９    分離回路
１１    ＰＯＴＳ
１２、２２    上位装置
２１    ＡＤＳＬ
３１    電話
３２    端末
【図１】
0003570504.tif 000002
【図２】
0003570504.tif 000003
【図３】
0003570504.tif 000004
【図４】
0003570504.tif 000005